(57)【特許請求の範囲】
【請求項１】
水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、
上記装着部は、水流通過部との間にシャワーヘッドを差し込み可能な空隙を設け上記水流通過部と連続して形成される押し当て部を備えて構成され、
この押し当て部には掴み部を形成したことを特徴とする梳き具。
【請求項２】
水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、
装着部は、水流通過部との間にシャワーヘッドを差し込み可能な空隙を設け上記水流通過部と連続して形成される押し当て部を備えて構成され、
この押し当て部を、水流通過部縁部の一部に揺動可能に設けられ変形可能な開閉蓋と、水流通過部縁部から直立して形成され開閉蓋が当接可能な支持部と、開閉蓋と支持部との少なくともいずれか一方に設けられ、開閉蓋を支持部に当接させた閉状態でロック可能なロック機構とを備えて構成したことを特徴とする梳き具。
【請求項３】
押し当て部を、水流通過部縁部から直立し互いに所定の間隔を隔てて形成される複数の接続部と、これら接続部に連続して形成され変形可能な蓋部とを備えて構成するとともに、隣接する１組の接続部をシャワーヘッドが異なる方向から差し入れ可能な間隔を設けて形成し、この１組の接続部間には、蓋部と水流通過部とのいずれか一方に、他端が他方に係止可能な係止爪を有する回動アームが設けられることを特徴とする請求項２に記載の梳き具。
【請求項４】
装着部を、水流通過部の互いに向かい合う縁部にそれぞれ形成された枠と、一端がこれら枠のうち一方の枠に係止され、他端が他方の枠に挿通され長さをシャワーヘッドのサイズに応じて調整可能に仮止めされる帯状部材とを備えて構成したことを特徴とする請求項２に記載の梳き具。
【発明の詳細な説明】
【０００１】
【産業上の利用分野】
本発明は、シャワーヘッドに取り付けられる梳き具に関するものである。
【０００２】
【従来の技術】
一般に、シャワーを用いて洗髪後すすぎを行う際、片手にシャワーヘッドを持ち、片手でブラシや櫛等の梳き具を用いているか片手で髪を揺らし適温の水を頭髪にかけながら、すすぎを行うようにしている。しかしながら、このようなすすぎのしかたでは洗いにくいという問題があった。このため、従来から、シャワーヘッドの放水部の外周にブラシを設けたもの（特開２０００−３４２４７８号公報参照）や、シャワーヘッドの放水部の外周にブラシを脱着用バンドで着脱可能に取り付けたもの（特開平１１−１８８２３号公報参照）が提案されている。また、放水部の周囲にブラシを植設したシャワーヘッドをシャワーホースに取り外し可能にしたものも提案されている（特開平８−２４３０４９号公報参照）。
【０００３】
【発明が解決しようとする課題】
ところで、従来のものでは、シャワーヘッド放水部の外周に隙間のないブラシが設けられているため、すすぎ時、放水された水流はブラシ内部で乱流の固まりとなり、放水部からの水流がすすいでいる部分に円滑に流れ込みにくく、水を無駄に消費してしまうという問題があった。また、シャワーヘッドにブラシを植毛すると、シャワー自体が高価になるという問題がある。さらに、シャワーヘッドにブラシを脱着用バンドを用いて取り付けたものでは、シャワーヘッドを頭髪に押し付けると外れやすく使い勝手が悪いという問題がある。
【０００４】
本発明は上記欠点を除くためになされたもので、簡素な構成で、使い勝手が良好、かつ、水流を効率的に頭髪内に導くことができ、しかも安価に製造することができる梳き具を提供するものである。
【０００５】
【課題を解決するための手段】
本発明に係る梳き具は、水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、上記装着部は、水流通過部との間にシャワーヘッドを差し込み可能な空隙を設け上記水流通過部と連続して形成される押し当て部を備えて構成され、この押し当て部には掴み部を形成したものである。
【０００６】
本発明に係る梳き具では、水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、上記装着部は、水流通過部との間にシャワーヘッドを差し込み可能な空隙を設け上記水流通過部と連続して形成される押し当て部を備えて構成され、この押し当て部には掴み部を形成したので、装着部にシャワーヘッドを挿入すると、水流通過部がシャワーヘッドの放水部に合致して取り付けられる。放水部から放出される水流は、孔間の水流通過部により水流が複数に分割されて外部に放出される。すすぎ時、櫛歯部が頭髪内に入ると、放水部から放出された水流は水流通過部の孔から櫛歯部により掻き分けられて隙間が生じた頭髪内にスムーズに流れ込む。このため、シャワー水が頭髪内に短時間で効率良く導かれるのですすぎが効率化される。また、使用時、押し当て部と水流通過部との間の空隙にシャワーヘッドを差し込むと、押し当て部は放水部裏側面を押さえて梳き具の脱落を阻止する。使用後、梳き具を押し当て部の押し圧力に抗してシャワーヘッドから抜き外すようにしているので、シャワーヘッドへの着脱を簡単に行うことができる。さらに、掴み部を手で握ったまま、使用すると、梳き具に外力が加えられてもシャワーヘッドから脱落しにくい。
【０００９】
請求項２に係る梳き具は、水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、装着部は、水流通過部との間にシャワーヘッドを差し込み可能な空隙を設け上記水流通過部と連続して形成される押し当て部を備えて構成され、この押し当て部を、水流通過部縁部の一部に揺動可能に設けられ変形可能な開閉蓋と、水流通過部縁部から直立して形成され開閉蓋が当接可能な支持部と、開閉蓋と支持部との少なくともいずれか一方に設けられ、開閉蓋を支持部に当接させた閉状態でロック可能なロック機構とを備えて構成したものである。
【００１０】
請求項２に係る梳き具では、使用時、水流通過部にシャワーヘッドの放水部を当て、開閉蓋を支持部に当接させて閉じ、ロック機構により開閉蓋をロックすると、梳き具はシャワーヘッドに装着される。使用後、ロック機構によりロックを解除すると、開閉蓋が開いて、シャワーヘッドから梳き具が取り外される。このため、力を使うことなく容易にシャワーヘッドへの装着と取り外しを行うことができる。また、開閉蓋は変形可能となっているので、多少サイズの異なるシャワーヘッドであっても装着することができる。
【００１１】
請求項３に係る梳き具は、押し当て部を、水流通過部縁部から直立し互いに所定の間隔を隔てて形成される複数の接続部と、これら接続部に連続して形成され変形可能な蓋部とを備えて構成するとともに、隣接する１組の接続部をシャワーヘッドが異なる方向から差し入れ可能な間隔を設けて形成し、この１組の接続部間には、蓋部と水流通過部とのいずれか一方に、他端が他方に係止可能な係止爪を有する回動アームが設けられるようにしたものである。
【００１２】
請求項３に係る梳き具では、使用時、回動アームの係止を解くと、隣接する１組の接続部間にシャワーヘッドを異なる方向から差し入れる空隙が形成されるので、シャワーヘッドが差し入れ易くなる。シャワーヘッドの差し入れ後、回動アームを係止させると、シャワーヘッドは梳き具に装着される。使用後、回動アームの係止を解くと、隣接する１組の接続部間からシャワーヘッドを外すことができるので、容易にシャワーヘッドを外すことができる。
【００１３】
請求項４に係る梳き具は、装着部を、水流通過部の互いに向かい合う縁部にそれぞれ形成された枠と、一端がこれら枠のうち一方の枠に係止され、他端が他方の枠に挿通され長さをシャワーヘッドのサイズに応じて調整可能に仮止めされる帯状部材とを備えて構成したものである。
【００１４】
請求項４に係る梳き具では、使用時、水流通過部をシャワーヘッドの放水部に当て、帯状部材の端部をシャワーヘッドの放水部裏側面に掛け回して他方の枠に差し通して引っ張り、シャワーヘッドを水流通過部に押し当てた状態で仮止めすると、梳き具はシャワーヘッドにしっかりと装着される。使用後、仮止めを解き、帯状部材の端部を他方の枠から抜き外すと、梳き具はシャワーヘッドから外される。帯状部材は長さを調整できるので、１つの梳き具をサイズの異なるシャワーヘッドに装着することができる。
【００１５】
【発明の実施の形態】
以下図面に示す実施例により本発明を説明する。図１は本発明の第１の実施の形態に係る梳き具を示す斜視図、図２の（Ａ）、（Ｂ）はそれぞれ図１の梳き具の底面図および要部の一部破断平面図である。この実施の形態に係る梳き具２は、図１に示すように、肌当たりのやさしい合成樹脂で一体に成型される。梳き具２は、シャワーヘッド３（図３参照）の放水部４の形状にほぼ合致して矩形の板状に形成された水流通過部５と、この水流通過部５縁部の隅部から直立して形成された接続部６と、水流通過部５との間にシャワーヘッド３を差し込み可能な空隙を設けこれら接続部６に連続して形成された押し当て部７とを備えて構成される。接続部６と押し当て部７とにより水流通過部５をシャワーヘッド３に着脱自在に装着するとともに、装着時、水流通過部５をシャワーヘッド３に押し当てて保持する装着部が構成される。
【００１６】
水流通過部５には、図１および図２の（Ａ）、（Ｂ）に示されるように、シャワーヘッド３の放水部４から放水される水流を外部に導く複数の孔１０が形成される。孔１０間には、シャワーヘッド３の放水部４から放出される水流を分割して外部に導く十文字状の水流分割部１１が形成される。本実施の形態では、孔１０は十文字状水流分割部１１により円を径方向でほぼ均等に４分割した形状となっている。これら４個の孔１０で形成される面は円形状放水部４にほぼ合致するようになっている。
【００１７】
水流通過部５の内外側面５Ａ、５Ｂのうち、外側面５Ｂ、すなわち、放水部４との反対面５Ｂには、図１および図２の（Ａ）に示すように、丸棒状の櫛歯部１２が水流の方向に突出し互いに所定の間隔を隔てて形成される。丸棒状櫛歯部１２は先端が皮膚を痛めないよう曲面に形成される。櫛歯部１２間は、図２の（Ａ）に示すように、すすぎ時、髪を掻き分ける際、髪に隙間を作り易くなるよう密度が疎になるよう間隔が設定される。さらに丸棒状櫛歯部１２の径は若干大きく形成され、櫛歯部１２が髪を掻き分けると、掻き分けた部分の髪が分かれてそこに隙間が生じるようになっている。これら隙間により放水部４からの水流が髪の奥まで達するようになっている。
【００１８】
接続部６は、図１および図２の（Ｂ）に示すように、断面Ｌ字状に形成される先端側接続部６Ａ、６Ａと、シャワーヘッド３の差し込み方向Ｍ（図２の（Ａ）、（Ｂ）矢印参照）に沿って断面一文字状に形成される後側接続部６Ｂ、６Ｂとからなっている。接続部６（６Ａ、６Ｂ）はシャワーヘッド３を差し入れ可能な高さに設定される。この梳き具２は、図３に示すように、接続部６Ｂ、６Ｂと水流通過部５と押し当て部７とにより形成される開口部１３に、シャワーヘッド３の先端側を差し入れて押し込むと、シャワーヘッド３に装着されるようになっている。
【００１９】
押し当て部７には、開口部１３からシャワーヘッド３のホース側接続部３Ａに沿って延びる掴み部７Ａが形成される。この掴み部７Ａは、梳き具２をシャワーヘッド３に装着した際、シャワーヘッド３のホース側接続部３Ａとともに手で握ることができるようになっており、この掴み部７Ａを手で握ったまま、使用すると、梳き具２に外力が加えられてもシャワーヘッド３から脱落しにくい。
【００２０】
次に、上記第１の実施の形態に係る梳き具２の作用について説明する。この実施の形態に係る梳き具２は、使用時、シャワーヘッド３の放水部４を水流通過部５側に向け、開口部１３にシャワーヘッド３の先端側を差し入れそのまま押し込むと、図３に示すように、シャワーヘッド３の先端部が接続部６Ａ，６Ａに当たり、シャワーヘッド３の放水部４が水流通過部５の孔１０に合致して装着される。このとき、押し当て部７は放水部４の裏側面を押さえて梳き具２の脱落を阻止する。放水部４からシャワー水が放出されると、水流は水流分割部１１により水流が複数に分割され、孔１０を通じて外部に放出される。すすぎ時、掴み部７Ａを手で掴み、櫛歯部１２で頭髪を掻き分けると、分割された水流が、掻き分けにより生じた隙間にスムーズに流れ込む。このため、シャワー水が頭髪内に短時間で効率良く導かれるのですすぎが効率化され、シャワー水の消費を抑制することができる。また、ゆっくり梳かしながら放水するとより効果的にすすぎを行うことができる。使用後、梳き具２を押し当て部７の押し圧力に抗してシャワーヘッド３から抜き外すと、梳き具２はシャワーヘッド３から簡単に分離される。
【００２１】
図４に示す梳き具２２は、上記第１の実施の形態に係る梳き具２の変形例を示すもので、上記実施の形態に係る梳き具２が、装着部６、７を、接続部６とこの接続部６に連続して形成される押し当て部７とにより構成しているのに対し、装着部を、水流通過部５縁部の一辺上に蝶番２３を介して揺動可能に設けられ変形可能な開閉蓋２７と、水流通過部５縁部の四隅から直立して形成され開閉蓋２７に当接可能な支持部２６と、支持部２６に設けられ、開閉蓋２７を支持部２６上端面に当接させた閉状態でロック可能なロック機構２８とを備えて構成した点が異なっている。
【００２２】
支持部２６は、図４に示すように、断面Ｌ字状に形成される先端側支持部２６Ａ、２６Ａと、シャワーヘッド３の差し込み方向Ｍに沿って断面一文字状に形成される後側支持部２６Ｂ、２６Ｂとからなっている。支持部２６（２６Ａ、２６Ｂ）はシャワーヘッド３を差し入れ可能な高さに設定される。開閉蓋２７は、先端側支持部２６Ａ、２６Ａ上部に蝶番２３を介して接続される。後側支持部２６Ｂ、２６Ｂの外側面には、鉤部２５Ａ、２５Ｂがそれぞれ下方に湾曲して形成される。これら鉤部２５Ａ、２５Ｂには、輪ゴム２４が掛け回されるようになっている。すなわち、ロック機構２８は、これら鉤部２５Ａ、２５Ｂと輪ゴム２４とから構成され、開閉蓋２７が支持部２６上端面に当接して閉じると、輪ゴム２４を鉤部２５Ａ、２５Ｂに張力を保持して掛け回し、開閉蓋２７を閉状態でロックするようにしている。符号２７Ａは掴み部である。支持部２６は水流通過部５と一体に合成樹脂を成型して形成され、別体の開閉蓋２７も同様に合成樹脂により形成されている。
【００２３】
この変形例に係る梳き具２２は、以上のように構成されているので、使用時、水流通過部５にシャワーヘッド３の放水部４を当て、開閉蓋２７を支持部２６に当接させて閉じ、輪ゴム２４により開閉蓋２７をロックすると、梳き具２２はシャワーヘッド３に装着される。使用後、輪ゴム２４を取り外し、開閉蓋２７を開くと、シャワーヘッド３から梳き具２２が取り外される。このため、力を使うことなく容易にシャワーヘッド３への装着と取り外しを行うことができる。また、開閉蓋２７は変形可能となっているので、多少サイズの異なるシャワーヘッドであっても装着することができる。なお、ロック機構２８は支持部２６に設けているが、これに限られるものではなく、開閉蓋２７側、または支持部２６と開閉蓋２７との両方に設けるようにしてもよい。
【００２４】
図５の（Ａ）に示す梳き具３２は、上記変形例に係る梳き具２２の他の例を示すもので、上記変形例に係る梳き具２２が、開閉蓋２７を蝶番２３を介して接続し、ロック機構２８を支持部２６Ｂ、２６Ｂ側に設けるようにしているのに対し、この他の例に係る梳き具３２は、開閉蓋３７を水流通過部５縁部の一辺上に断面Ｃ字状接続部３３を介し揺動可能にかつ弾性復帰可能に設け、ロック機構３８を開閉蓋３７に形成したＴ字状係止部３８Ａと、支持部３６Ｂ、３６Ｂの上部外側に形成され係止部３８Ａが係止される湾曲分岐部３８Ｂとにより構成した点が異なっている。
【００２５】
開閉蓋３７は、常時、図５の（Ａ）に示すように、傾斜した状態となっており、この開閉蓋３７を弾発力に抗して支持部３６Ａ、３６Ｂ側に押し付けると、図５の（Ｂ）に示すように、係止部３８Ａが湾曲分岐部３８Ｂ外面を滑って下方に押し下げられ、係止部３８Ａの先端部３９が湾曲分岐部３８Ｂの端部より下方に達すると、湾曲分岐部３８Ｂの内側に入り込む。そこで、開閉蓋３７から手を離し、押す力を除くと、開閉蓋３７は弾発復帰力により元の位置に戻ろうとするが、係止部３８Ａの先端部３９が湾曲分岐部３８Ｂの内側で湾曲分岐部３８Ｂに当たり、閉状態でロックされるようになっている。このため、開閉蓋３７をワンタッチでロックすることができるようになっている。ロック解除時は、開閉蓋３７をロック位置から押し下げ、係止部３８Ａの先端部３９を湾曲分岐部３８Ｂの外側に導き、開閉蓋３７から手を離すと、開閉蓋３７は弾発復帰力により元の位置に復帰するようになっている。
【００２６】
図６の（Ａ）に示す梳き具４２は、上記第１の実施の形態に係る梳き具２の他の変形例を示すもので、上記実施の形態に係る梳き具２が、水流通過部５縁部の四隅から直立して形成された４つの接続部６（６Ａ、６Ａ、６Ｂ、６Ｂ）を有するのに対し、これら４つの接続部６（６Ａ、６Ａ、６Ｂ、６Ｂ）のうち開口部１３側の一方の接続部６Ｂに代えて、蓋部４７に、水流通過部４５に形成されたＴ字状係合部４６に係止される係止爪４８を備えた回動アーム４９を設けた点が異なっている。回動アーム４９に隣り合う接続部６Ｂ、６Ａ間には、シャワーヘッド３が異なる方向から差し入れ可能な空隙が設けられるようになっている。このため、この梳き具４２では、使用時、回動アーム４９の係止を解くと、隣接する１組の接続部６Ｂ、６Ａ間にシャワーヘッド３を異なる方向から差し入れる空隙が形成されるので、シャワーヘッド３が差し入れ易くなる。シャワーヘッド３の差し入れ後、回動アーム４９の係止爪４８を係合部４６の一方の角部に係止させると、梳き具４２はシャワーヘッド３に装着される。使用後、回動アーム４９の係止を解くと、隣接する接続部６Ｂ、６Ａ間からシャワーヘッド３を外すことができるので、装着が容易になる。
【００２７】
次に、本発明の第２の実施の形態に係る梳き具５２について図７に基づいて説明する。本実施の形態に係る梳き具５２は、上記第１の実施の形態に係る梳き具２が、装着部６、７を、接続部６とこの接続部６に連続して形成される押し当て部７とにより構成しているのに対し、図７に示すように、装着部を、水流通過部５の互いに向かい合う縁部５Ｂ、５Ｃにそれぞれ形成された枠５６、５７と、一端が一方の枠５６に係止され、他端が他方の枠５７に挿通されて水流通過部５上のシャワーヘッド３の放水部４裏側面に被せられ長さをシャワーヘッド３のサイズに合わせて調整可能な帯状部材５８とを備えて構成される点が異なっている。帯状部材５８は外側面の一部５８Ａと枠５７により折り返される折り返し部５８Ｂとに、互いに仮接着し外部からの力で引き剥がし可能なフック状とパイル状の布製接着テープ５３、５４が張り付けられている。この帯状部材５８は折り返し部５８Ｂの接着テープ５４が所望の位置で他方の接着テープ５３に接着されるようになっている。符号５５は枠５６，５７の一側同士を接続し、シャワーヘッド３先端部が当接する当接部である。
【００２８】
第２の実施の形態に係る梳き具５２は上記のように構成されているので、使用時、水流通過部５をシャワーヘッド３の放水部４に当て、帯状部材５８の端部５８Ｂをシャワーヘッド３の放水部裏側面に掛け回して他方の枠５７に差し通して引っ張り、シャワーヘッド３を水流通過部５に押し当てた状態で接着テープ５４、５３同士を接着して仮止めすると、梳き具５２はシャワーヘッド３にしっかりと装着される。使用後、接着テープ５４、５３同士を引き剥がして仮止めを解き、帯状部材５８の端部５８Ｂを他方の枠５７から抜き外すと、梳き具５２はシャワーヘッド３から外される。帯状部材５８は長さを調整できるので、１つの梳き具５２をサイズの異なるシャワーヘッドに装着することができる。
【００２９】
なお、上記実施の形態および変形例では、梳き具２、２２、３２、４２、５２を合成樹脂により構成しているがこれに限られるものではなく、一部に金属を用いて構成するようにしてもよい。また、孔１０は円を径方向に均等に４分割するように形成されているがこれに限られるものではなく、形状や数や広さは適宜設定してよいことはいうまでもない。さらに、第２の実施の形態に係る梳き具５２について、掴み部を水流通過部に形成するようにしてもよい。また、櫛歯部の長さを頭皮部に沿うように変化させてもよい。さらに、接続部６Ａ、６Ｂ間に隙間を設けているがこれに限られるものではなく、接続部６Ａ、６Ｂが位置する側面全面を壁面として構成してもよい。また、図５に示す変形例では、ロックする機構を本体側に設けているがこれに限られるものではなく、本体側３７、５に設けるのではなく、外部からこれら本体側をロックする機構を設けるようにしてもよい。
【００３０】
【発明の効果】
以上述べたように本発明に係る梳き具によれば、水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、上記装着部は、水流通過部との間にシャワーヘッドを差し込み可能な空隙を設け上記水流通過部と連続して形成される押し当て部を備えて構成され、この押し当て部には掴み部を形成したことにより、すすぎ時、放水部から放出される水流は、頭髪内にスムーズに流れ込むので、使いやすく、すすぎが効率化され、水の消費量を抑制することができる。また、簡素な構成で安価に製造することができる効果がある。また、使用時、押し当て部と水流通過部との間の空隙にシャワーヘッドを差し込むと、押し当て部は放水部裏側面を押さえて梳き具の脱落を阻止する。使用後、梳き具を押し当て部の押し圧力に抗してシャワーヘッドから抜き外すようにしているので、シャワーヘッドへの着脱を簡単に行うことができる。さらに、掴み部を手で握ったまま、使用すると、梳き具に外力が加えられてもシャワーヘッドから脱落しにくい。
【００３１】
また、本発明に係る梳き具によれば、水流が通過する孔が複数形成された板状の水流通過部と、この水流通過部をシャワーヘッドの放水部に合致させて着脱可能に装着する装着部と、この水流通過部の水流排出側面に流れ方向に突出し互いに間隔を隔てて形成された櫛歯部とを備えるとともに、装着部は、水流通過部との間にシャワーヘッドを差し込み可能な空隙を設け上記水流通過部と連続して形成される押し当て部を備えて構成され、この押し当て部を、水流通過部縁部の一部に揺動可能に設けられ変形可能な開閉蓋と、水流通過部縁部から直立して形成され開閉蓋が当接可能な支持部と、開閉蓋と支持部との少なくともいずれか一方に設けられ、開閉蓋を支持部に当接させた閉状態でロック可能なロック機構とを備えて構成したことにより、力を使うことなく容易にシャワーヘッドへの装着と取り外しを行うことができる。また、開閉蓋は変形可能となっているので、多少サイズの異なるシャワーヘッドであっても装着することができる。
【図面の簡単な説明】
【図１】本発明の第１の実施の形態に係る梳き具を示す斜視図である。
【図２】（Ａ）および（Ｂ）はそれぞれ、図１の梳き具の底面図および要部の一部破断平面図である。
【図３】図１の梳き具をシャワーヘッドに装着した状態を示す説明図である。
【図４】図１の梳き具の変形例を示す斜視図である。
【図５】（Ａ）は図４の梳き具の他の例を示す斜視図、（Ｂ）および（Ｃ）はそれぞれ、ロック機構の係合状態を示す説明図である。
【図６】（Ａ）は図１の梳き具の変形例を示す要部の斜視図、（Ｂ）は回動アームの形状を示す説明図である。
【図７】本発明の第２の実施の形態に係る梳き具を示す斜視図である。
【符号の説明】
２    梳き具
３    シャワーヘッド
４    放水部
５    水流通過部
５Ｂ  水流通過部の放水部の反対面
６    接続部（装着部）
７    押し当て部（装着部）
１０    孔
１２    櫛歯部
【図１】
0003567918.tif 000002
【図２】
0003567918.tif 000003
【図３】
0003567918.tif 000004
【図４】
0003567918.tif 000005
【図５】
0003567918.tif 000006
【図６】
0003567918.tif 000007
【図７】
0003567918.tif 000008